(57)【要約】      （修正有）【課題】屋内の空気を迅速かつ良好に浄化することができる屋内空気浄化装置を提供する。【解決手段】屋内の空気を浄化するための屋内空気浄化装置において、屋内に移動自在に設置される家具や間仕切やカーテンなどの屋内設置物に導電層１１を設けるとともに、導電層１１に負電圧発生器を接続し、導電層１１を負電圧に帯電させて正電圧に帯電した微粒子を捕捉して屋内の空気を浄化するように構成する。また、導電層１１を粉末状の炭化物で形成する。さらに、導電層１１の表面を通気性を有する絶縁体で被覆することを特徴とする。【選択図】図２
0003186679.tif 000002
【実用新案登録請求の範囲】
【請求項１】
屋内の空気を浄化するための屋内空気浄化装置において、
屋内に移動自在に設置される家具や間仕切やカーテンなどの屋内設置物に導電層を設けるとともに、導電層に負電圧発生器を接続し、導電層を負電圧に帯電させて正電圧に帯電した微粒子を捕捉して屋内の空気を浄化するように構成したことを特徴とする屋内空気浄化装置。
【請求項２】
前記導電層を粉末状の炭化物で形成したことを特徴とする請求項１に記載の屋内空気浄化装置。
【請求項３】
前記導電層の表面を通気性を有する絶縁体で被覆したことを特徴とする請求項１又は請求項２に記載の屋内空気浄化装置。
【考案の詳細な説明】
【技術分野】
【０００１】
本考案は、屋内の空気を浄化するための屋内空気浄化装置に関するものである。
【背景技術】
【０００２】
従来の家屋では、屋内に空調装置を設け、家屋の内部の空気を循環させながらフィルターで塵や埃や悪臭などを捕捉することで、家屋の内部の空気を浄化するようにしている（たとえば、特許文献１参照。）。
【先行技術文献】
【特許文献】
【０００３】
【特許文献１】特開２０１２−１８７９６９号公報
【考案の概要】
【考案が解決しようとする課題】
【０００４】
ところが、上記従来の空調装置による空気の浄化では、家屋の内部の空気を循環させながらフィルターで塵や埃や悪臭などを捕捉することによって空気の浄化を行っているために、迅速かつ良好に空気を浄化することが困難であった。
【０００５】
特に、塵や埃や悪臭などをフィルターで捕捉しているために、非常に粒子径の微細なイオンを除去することが困難であった。
【課題を解決するための手段】
【０００６】
そこで、請求項１に係る本考案では、屋内の空気を浄化するための屋内空気浄化装置において、屋内に移動自在に設置される家具や間仕切やカーテンなどの屋内設置物に導電層を設けるとともに、導電層に負電圧発生器を接続し、導電層を負電圧に帯電させて正電圧に帯電した微粒子を捕捉して屋内の空気を浄化するように構成することにした。
【０００７】
また、請求項２に係る本考案では、前記請求項１に係る本考案において、前記導電層を粉末状の炭化物で形成することにした。
【０００８】
また、請求項３に係る本考案では、前記請求項１又は請求項２に係る本考案において、前記導電層の表面を通気性を有する絶縁体で被覆することにした。
【考案の効果】
【０００９】
そして、本考案では、以下に記載する効果を奏する。
【００１０】
すなわち、本考案では、屋内の空気を浄化するための屋内空気浄化装置において、屋内に移動自在に設置される家具や間仕切やカーテンなどの屋内設置物に導電層を設けるとともに、導電層に負電圧発生器を接続し、導電層を負電圧に帯電させて正電圧に帯電した微粒子を捕捉して屋内の空気を浄化するように構成することにしているために、屋内空間に浮遊する微細なイオンをも除去することができ、屋内空間の空気を迅速かつ良好に浄化することができる。
【００１１】
特に、導電層を粉末状の炭化物で形成することにした場合には、炭化物の吸着作用によって悪臭や湿気を除去できるとともに、より一層迅速かつ良好に屋内空間の空気を浄化することができる。
【００１２】
また、導電層の表面を通気性を有する絶縁体で被覆することにした場合には、漏電や感電を防止することができる。
【図面の簡単な説明】
【００１３】
【図１】本考案に係る屋内空気浄化装置を示す断面説明図。
【図２】同部分拡大断面図。
【考案を実施するための形態】
【００１４】
以下に、本考案に係る屋内空気浄化装置の具体的な構成について図面を参照しながら説明する。なお、本考案は、屋内に移動自在に設置される家具や間仕切やカーテンなどの屋内設置物に屋内空気浄化機能を設けたものである。以下の説明では、屋内設置物の代表例として箪笥を用いた場合について説明する。
【００１５】
図１及び図２に示すように、屋内空気浄化装置１としての箪笥は、本体２に複数個の引出し３を設けるとともに、本体２の裏側に空気浄化装置４を設けており、空気浄化装置４によって屋内の塵や埃や悪臭などを除去することで屋内の空気を浄化するものである。
【００１６】
空気浄化装置４は、本体２の天板５と底板６と左右側板７と背板８で本体２の裏側に形成される凹部９に収容されている。
【００１７】
この空気浄化装置４は、背板８の裏面に空気浄化シート10を貼着し、空気浄化シート10の表面に導電性を有する導電層11を形成している。
【００１８】
この導電層11は、導電性を有していればよく、金属や樹脂で形成することもできるが、好ましくは、吸着性をも有する粉末状の炭化物が好ましい。炭化物としては、植物由来の炭化物でも石油由来の炭化物でもよい。
【００１９】
また、導電層11は、空気浄化シート10の表面に形成されていればよく、その形成方法は、空気浄化シート10の表面に塗布したり貼着したものでもよく、空気浄化シート10とともに一体成型したものでもよい。たとえば、粉末状の炭化物を樹脂製バインダーに混合したものを空気浄化シート10の表面に塗布したものでもよく、また、プラスチックの表面に粉末状の炭化物を付着させた状態で加熱溶融成型したものでもよい。
【００２０】
この導電層11は、屋内設置物（箪笥の本体２）から絶縁されている。ここでは、空気浄化シート10に絶縁層12を形成し、絶縁層12だけが屋内設置物（箪笥の本体２）と接触するように空気浄化シート10を取付け、その絶縁層12の表面に導電層11を形成することで導電層11と屋内設置物（箪笥の本体２）との間を絶縁している。なお、空気浄化シート10とは別体の絶縁材を空気浄化シート10と屋内設置物（箪笥の本体２）との間に介在させてもよい。また、たとえば、導電層11の表面に絶縁性を有するとともに微細な通気孔（多孔）を有する布やビニールなどのシートを貼着するなどして、導電層11の表面を通気性を有する絶縁体で被覆してもよい。
【００２１】
空気浄化装置４は、空気浄化シート10の導電層11に負電圧発生器13を接続している。この負電圧発生器13は、電子を導電層11に供給して導電層11を負電圧に帯電させるものである。
【００２２】
この負電圧発生器13には、電源14が接続されている。電源14としては、家屋で使用する商用電源を利用することができるが、バッテリーや専用の電池等を用いてもよく、さらには、太陽光発電機や風力発電機等の各種の発電機を用いてもよい。
【００２３】
なお、負電圧発生器13は、駆動（始動、停止、強弱等）を操作スイッチにより人為的に操作するようにしてもよく、タイマーやセンサー等により自動的に制御するようにしてもよい。
【００２４】
空気浄化装置４は、以上に説明したように構成しており、負電圧発生器13によって空気浄化シート10の表面の導電層11を負電圧に帯電させることで、導電層11に屋内空間の塵や埃や悪臭などを微細な陽イオン化したものまで良好に吸着することができ、屋内空間を清浄化することができる。
【００２５】
特に、導電層11を粉末状の炭化物で形成した場合には、炭化物の吸着作用によって悪臭や湿気を除去できるとともに、より一層迅速かつ良好に屋内空間５の空気を浄化することができる。
【００２６】
また、導電層11の表面を通気性を有する絶縁層で被覆することにした場合には、漏電や感電を防止することができる。
【００２７】
以上の説明では、屋内空気浄化装置１として、屋内に移動自在に設置される屋内設置物である箪笥に空気浄化装置４を組み込んで空気浄化機能を持たせた場合について説明したが、本考案は家屋の内部に移動自在に設置される家具や間仕切やカーテンなどに空気浄化装置を組み込んで空気浄化機能を持たせたものであればよい。屋内で移動自在であることから、必要に応じて設置場所を適宜移動させて使用することもできる。
【００２８】
また、以上の説明では、屋内設置物に貼着した空気浄化シート10に導電層11を形成した場合について説明したが、本考案では、たとえば、屋内設置物を構成する部材（たとえば、箪笥の本体２）に導電性の塗料を塗布したり、導電性の塗料を塗布した成型体を貼着するなどして、屋内設置物を構成する部材に直接的に導電層11を形成するようにしてもよい。
【符号の説明】
【００２９】
１  屋内空気浄化装置                  ２  本体
３  引出し                            ４  空気浄化装置
５  天板                              ６  底板
７  左右側板                          ８  背板
９  凹部                              10  空気浄化シート
11  導電層                            12  絶縁層
13  負電圧発生器                      14  電源
【図１】
0003186679.tif 000003
【図２】
0003186679.tif 000004